(57)【要約】【課題】映像・音声伝送用のデジタルインタフェースにおける送受信システムにおいて、高音質で、かつ、コンテンツの切り換え時に音切れが生じないような、音声データの伝送を可能にする。【解決手段】受信音声クロック生成部１１６は基準クロックＲＣＬＫを基にして複数の音声クロックＲＡＣ１，ＲＡＣ２を生成し、音声クロック情報生成部１１５は音声クロックＲＡＣ１の周波数の情報を含む音声クロック情報ＩＡＣを生成する。音声クロック再生部１０５は音声クロック情報ＩＡＣが示す周波数を有する音声クロックＴＡＣ１を再生し、送信音声クロック生成部１０６は音声クロックＴＡＣ１を基にして複数の音声クロックＴＡＣ１，ＴＡＣ２を生成する。データ伝送において、送信音声クロック生成部１０６は送信音声データのサンプリング周波数情報に応じて送信音声クロックＴＡＣを選択し、受信音声クロック生成部１１６は送信データから分離したサンプリング周波数情報に応じて受信音声クロックＲＡＣを選択する。【選択図】図１
2012039260.tif 000002
【特許請求の範囲】
【請求項１】
映像・音声伝送用のデジタルインターフェースにおける送信装置と受信装置とからなる送受信システムであって、
前記受信装置は、
前記送信装置から出力された送信データを受信し、この送信データから、受信映像データと、受信映像クロックと、受信音声データと、この受信音声データのサンプリング周波数情報とを分離する映像・音声・パケット分離部と、
外部から与えられた基準クロックを基にして、周波数が互いに異なる複数の音声クロックを生成し、前記複数の音声クロックの中から、前記受信音声データのサンプリング周波数情報に応じて、１つの音声クロックを受信音声クロックとして選択して出力する受信音声クロック生成部と、
前記受信音声クロック生成部が出力する受信音声クロックに同期して、前記受信音声データを出力する受信音声処理部と、
前記受信音声クロック生成部において生成された複数の音声クロックの１つである第１の音声クロックから、この第１の音声クロックの周波数の情報を少なくとも含む音声クロック情報を生成し、前記送信装置に出力する音声クロック情報生成部とを備えたものであり、
前記送信装置は、
前記受信装置から出力された前記音声クロック情報を受け、この音声クロック情報が示す周波数を有する第２の音声クロックを再生する音声クロック再生部と，
前記第２の音声クロックを基にして、周波数が互いに異なる複数の音声クロックを生成し、前記複数の音声クロックの中から、送信音声データのサンプリング周波数情報に応じて、１つの音声クロックを送信音声クロックとして選択して出力する送信音声クロック生成部と、
前記送信音声クロックに同期した前記送信音声データと、前記送信音声データのサンプリング周波数情報とをパケット化し、送信映像クロックに同期した送信映像データのブランキング期間に重畳することによって、前記送信データを生成する映像・音声・パケット多重部とを備えたものである
ことを特徴とする送受信システム。
【請求項２】
請求項１記載の送受信システムにおいて、
前記受信装置の前記音声クロック情報生成部は、所定の音声信号が、前記第１の音声クロックに同期して、同期用パターンが埋め込まれたフレーム単位で変調されてなる音声情報を生成し、前記音声クロック情報として出力するものであり、
前記送信装置の前記音声クロック再生部は、前記受信装置から前記音声クロック情報として出力された前記音声情報から、前記同期用パターンを検出することによって、前記第２の音声クロックを再生するものである
ことを特徴とする送受信システム。
【請求項３】
請求項２記載の送受信システムにおいて、
前記所定の音声信号は、無音声信号、または、所定周期の音声信号である
ことを特徴とする送受信システム。
【請求項４】
請求項１記載の送受信システムにおいて、
前記受信装置の前記音声クロック情報生成部は、前記第１の音声クロックの周波数ｆと前記受信映像クロックの周波数ｐｃｌｋとの間で、
ｐｃｌｋ／Ｐ  ＝  ｆ／Ｑ
という関係を満たす分周パラメータＰ，Ｑを生成し、この分周パラメータＰ，Ｑのうち少なくとも一方を前記音声クロック情報として出力するものであり、
前記送信装置の前記音声クロック再生部は、前記受信装置から前記音声クロック情報として出力された前記分周パラメータと、前記受信映像クロックと同一周波数の前記送信映像クロックとから、前記第２の音声クロックを再生するものである
ことを特徴とする送受信システム。
【請求項５】
請求項４記載の送受信システムにおいて、
前記分周パラメータＰ，Ｑのうちの一方を所定の固定値とし、他方を、前記受信装置の前記音声クロック情報生成部が前記音声クロック情報として出力する
ことを特徴とする送受信システム。
【請求項６】
映像・音声伝送用のデジタルインターフェースにおける送信装置であって、
受信装置から出力された、第１の音声クロックの周波数の情報を少なくとも含む音声クロック情報を受け、この音声クロック情報が示す周波数を有する第２の音声クロックを再生する音声クロック再生部と、
前記第２の音声クロックを基にして、周波数が異なる複数の音声クロックを生成し、前記複数の音声クロックの中から、送信音声データのサンプリング周波数情報に応じて、１つの音声クロックを送信音声クロックとして選択して出力する送信音声クロック生成部と、
前記送信音声クロックに同期した前記送信音声データと、前記サンプリング周波数情報とをパケット化し、送信映像クロックに同期した送信映像データのブランキング期間に重畳することによって、送信データを生成する映像・音声・パケット多重部とを備えた
ことを特徴とする送信装置。
【請求項７】
請求項６記載の送信装置において、
前記音声クロック再生部は、前記受信装置から前記音声クロック情報として出力された、所定の音声信号が、前記第１の音声クロックに同期して、同期用パターンが埋め込まれたフレーム単位で変調されてなる音声情報から、前記同期用パターンを検出することによって、前記第２の音声クロックを再生するものである
ことを特徴とする送信装置。
【請求項８】
請求項７記載の送信装置において、
前記所定の音声信号は、無音声信号、または、所定周期の音声信号である
ことを特徴とする送信装置。
【請求項９】
請求項６記載の送信装置において、
前記音声クロック再生部は、前記受信装置から前記音声クロック情報として出力された、受信映像クロックの周波数ｐｃｌｋと前記第１の音声クロックの周波数ｆとの間で、
ｐｃｌｋ／Ｐ  ＝  ｆ／Ｑ
という関係を満たす分周パラメータＰ，Ｑのうち少なくとも一方と、前記受信映像クロックと同一周波数の前記送信映像クロックとから、前記第２の音声クロックを再生するものである
ことを特徴とする送信装置。
【請求項１０】
映像・音声伝送用のデジタルインターフェースにおける受信装置であって、
送信装置から出力された送信データを受信し、この送信データから、受信映像データと、受信映像クロックと、受信音声データと、前記受信音声データのサンプリング周波数情報とを分離する映像・音声・パケット分離部と、
外部から与えられた基準クロックを基にして、周波数が互いに異なる複数の音声クロックを生成し、前記複数の音声クロックの中から、前記サンプリング周波数情報に応じて、１つの音声クロックを受信音声クロックとして選択して出力する受信音声クロック生成部と、
前記受信音声クロック生成部が出力する受信音声クロックに同期して、前記受信音声データを出力する受信音声処理部と、
前記受信音声クロック生成部において生成された複数の音声クロックの１つである第１の音声クロックから、この第１の音声クロックの周波数の情報を少なくとも含む音声クロック情報を生成し、前記送信装置に出力する音声クロック情報生成部とを備えた
ことを特徴とする受信装置。
【請求項１１】
請求項１０記載の受信装置において、
前記音声クロック情報生成部は、所定の音声信号が、前記第１の音声クロックに同期して、同期用パターンが埋め込まれたフレーム単位で変調されてなる音声情報を生成し、前記音声クロック情報として出力するものである
ことを特徴とする受信装置。
【請求項１２】
請求項１１記載の受信装置において、
前記所定の音声信号は、無音声信号、または、所定周期の音声信号である
ことを特徴とする受信装置。
【請求項１３】
請求項１０記載の受信装置において、
前記音声クロック情報生成部は、前記第１の音声クロックの周波数ｆと前記受信映像クロックの周波数ｐｃｌｋとの間で、
ｐｃｌｋ／Ｐ  ＝  ｆ／Ｑ
という関係を満たす分周パラメータＰ，Ｑを生成し、この分周パラメータＰ，Ｑのうち少なくとも一方を前記音声クロック情報として出力するものである
ことを特徴とする受信装置。
【請求項１４】
請求項１３記載の受信装置において、
前記分周パラメータＰ，Ｑの一方を所定の固定値とし、他方を、前記音声クロック情報生成部が前記音声クロック情報として出力する
ことを特徴とする受信装置。
【発明の詳細な説明】
【技術分野】
【０００１】
本発明は、映像データと音声データの高速伝送を行うために用いられる送受信システムに関する。
【背景技術】
【０００２】
デジタル化された映像・音声データを高速に伝送するためのインターフェース規格として、ＨＤＭＩ（High-Definition Multimedia Interface）規格が知られている。ＨＤＭＩ規格に準拠した伝送路では、映像データに同期したピクセルクロックと音声クロックとを結びつける分周パラメータＭ，Ｎを求め、この分周パラメータＭ，Ｎを音声クロックに代えて伝送する。
【０００３】
図４は従来の送受信システムの構成例を示すブロック図である。図４において、送信装置４０１と受信装置４０２とは、ＨＤＭＩ規格に準拠した伝送路によって互いに接続されている。送信装置４０１は、映像データに音声データを多重して受信装置４０２に伝送する。送信装置４０１の一例としては、ＤＶＤプレーヤーやＢＤ（Blue-ray Disc）レコーダ等があり、受信装置４０２の一例としては、プラズマテレビや液晶テレビ等がある。
【０００４】
図５は音声クロックおよびピクセルクロックと分周パラメータＭ，Ｎとの関係を説明するための図である。音声クロックの周波数ｆは、元々アナログ信号であった音声信号をデジタル化する際のサンプリング周波数ｆｓの整数倍に設定されることが多い。図５では、サンプリング周波数ｆｓの１２８倍を音声クロックの周波数ｆとしている。具体的には、ｆｓ＝４８ｋＨｚのとき、ｆ＝１２８×ｆｓ＝６．１４４ＭＨｚである。
【０００５】
分周パラメータＮは、音声クロックを分周するためのパラメータであり、分周パラメータＭはピクセルクロックを分周するためのパラメータである。音声クロックの周波数ｆ、ピクセルクロックの周波数ｐｃｌｋ、および分周パラメータＭ，Ｎの間には、次のような関係がある。
ｐｃｌｋ／Ｍ  ＝  ｆ／Ｎ
このような分周パラメータＭ，Ｎを求めるためには、例えば、Ｎは所定の値とし、音声クロックのＮ分周をピクセルクロックで計数した結果をＭとすればよい。例えば、ｐｃｌｋ＝２７ＭＨｚ、ｆ＝６．１４４ＭＨｚのとき、Ｎ＝６１４４に設定すれば、Ｍ＝２７０００が得られる。送信装置４０１では、分周器１０２で音声クロックをＮ分周し、それをカウンタ１０３がピクセルクロックで計数しＭを求めている。
【０００６】
このようにして得られた分周パラメータＭ，Ｎは、映像・音声・パケット多重部１０４によってパケット化され、映像データのブランキング期間中に多重される。映像・音声・パケット多重部１０４は、音声データも同様にパケット化し、映像データのブランキング期間中に多重する。
【０００７】
送信装置４０１から出力された映像・音声・パケット多重データとピクセルクロックは、伝送路を介して伝送され、受信装置４０２によって受信される。受信装置４０２では、映像・音声・パケット分離部１１４が映像データとピクセルクロックを分離して出力する。映像データはピクセルクロックに同期しており、一般的には、後段で高画質化のための画像処理を施された後、プラズマパネルや液晶パネルに表示される。
【０００８】
また映像・音声・パケット分離部１１４は分周パラメータＭ、Ｎを分離して出力する。
ｆ＝（ｐｃｌｋ／Ｍ）×Ｎ
となる関係があるので、分周器１１２でピクセルクロックをＭ分周し、逓倍器１１３で分周器１１２の出力をＮ逓倍すれば、周波数ｆの音声クロックを再生することができる。
【０００９】
このようにＨＤＭＩ規格に準拠した伝送路では、分周パラメータＭ，Ｎを用いて音声クロックを伝送している。ところが、受信装置４０２で再生される音声クロックには、伝送路上でピクセルクロックに重畳されるジッタに起因して、ジッタが含まれてしまう。このため、送信時よりも音質が劣化してしまう。
【００１０】
特許文献１には、音声データをさらに高音質で伝送するための構成が開示されている。図６は特許文献１に開示された構成である。図６の構成では、受信装置６０２側が音声クロックの基準を有する点が図４と異なっている。まず、送信装置６０１が分周パラメータＮを受信装置６０２に送信する。受信装置６０２では、分周器２２１がマスタークロックをＮ分周し、周期カウンタ２２２が分周器２２１の出力を、受信したピクセルクロックでカウントする。このカウント値Ｍは、例えばＣＥＣ（Consumer Electronics Control）を用いて受信装置６０２から送信装置６０１に伝送される。ＣＥＣとは、例えばリモートコントロール操作に応じたコマンド等の機器制御信号を送受信するためのプロトコルである。ＨＤＭＩ規格ではオプションとしてＣＥＣによる相互通信が規定されている。
【００１１】
送信装置６０１では、分周器２２３がビデオクロックをＭ分周し、逓倍器２２４が分周器２２３の出力をＮ逓倍する。これによって、マスタークロックと同一周波数の音声クロックを再生することができる。そして送信装置６０１は、再生された音声クロックに同期した音声データを送信する。受信装置６１１は音声データを受信し、高精度のマスタークロックを用いて音声を再生する。これにより、高音質化が可能となる。
【先行技術文献】
【特許文献】
【００１２】
【特許文献１】特開２００９−３８５９６号公報（図５）
【発明の概要】
【発明が解決しようとする課題】
【００１３】
音声信号には様々なサンプリング周波数が用いられている。例えばコンパクトディスク（ＣＤ）では４４．１ｋＨｚが用いられるが、ディジタル放送では４８ｋＨｚが用いられている。また高音質化を狙ってこれらの整数倍である１７６．４ｋＨｚや１９２ｋＨｚ等が用いられている。また近年、ＣＤ−Ｒ等のメディアへの記録がパソコン等で簡便に行えるようになったため、１枚のメディアに異なるサンプリング周波数を持った複数のコンテンツが記録されている場合がある。このようなメディアを再生する場合、コンテンツが変わる毎に音声信号のサンプリング周波数が変化する。すなわち、サンプリング周波数の変化が頻繁に生じる。
【００１４】
ところが、従来の送受信システムでは、音声信号のサンプリング周波数が切り替わる時に、音声がすぐには出力されず、音切れが生じやすいという問題があった。
【００１５】
例えば図６の構成では、サンプリング周波数が切り替わったとき、送信装置６０１から受信装置６１１に、サンプリング周波数の情報が例えばパケット化されて伝送される。受信装置６１１では受信したパケットからサンプリング周波数を読みとり、音声クロックをこのサンプリング周波数に応じたものへ切り替える。その後、分周器２２１および周期カウンタ２１３の動作によってＭを求め、送信装置６０１に送信する。そして送信装置６０１内で、分周器２２３および逓倍器２２４によって新たな音声クロックが再生される。
【００１６】
すなわち従来の送受信システムでは、サンプリング周波数が切り替わった場合、切り替え開始から送信装置６０１内で音声クロックが再生されるまでに多大な時間を要していた。特に逓倍器２２４はＰＬＬ（Phase Locked Loop）構成を取るため、ロックまでに多くの時間を要する。このことは、コンテンツの切り替え直後に、短時間音声が出力されず、音切れが生じるという問題につながってしまう。
【００１７】
前記の問題に鑑み、本発明は、映像・音声伝送用のデジタルインタフェースにおける送受信システムにおいて、高音質で、かつ、コンテンツの切り換え時に音切れが生じないような、音声データの伝送を可能にすることを目的とする。
【課題を解決するための手段】
【００１８】
本発明の一態様は、映像・音声伝送用のデジタルインターフェースにおける送信装置と受信装置とからなる送受信システムとして、前記受信装置は、前記送信装置から出力された送信データを受信し、この送信データから、受信映像データと、受信映像クロックと、受信音声データと、この受信音声データのサンプリング周波数情報とを分離する映像・音声・パケット分離部と、外部から与えられた基準クロックを基にして、周波数が互いに異なる複数の音声クロックを生成し、前記複数の音声クロックの中から、前記受信音声データのサンプリング周波数情報に応じて、１つの音声クロックを受信音声クロックとして選択して出力する受信音声クロック生成部と、前記受信音声クロック生成部が出力する受信音声クロックに同期して、前記受信音声データを出力する受信音声処理部と、前記受信音声クロック生成部において生成された複数の音声クロックの１つである第１の音声クロックから、この第１の音声クロックの周波数の情報を少なくとも含む音声クロック情報を生成し、前記送信装置に出力する音声クロック情報生成部とを備えたものであり、前記送信装置は、前記受信装置から出力された前記音声クロック情報を受け、この音声クロック情報が示す周波数を有する第２の音声クロックを再生する音声クロック再生部と、前記第２の音声クロックを基にして、周波数が互いに異なる複数の音声クロックを生成し、前記複数の音声クロックの中から、送信音声データのサンプリング周波数情報に応じて、１つの音声クロックを送信音声クロックとして選択して出力する送信音声クロック生成部と、前記送信音声クロックに同期した前記送信音声データと、前記送信音声データのサンプリング周波数情報とをパケット化し、送信映像クロックに同期した送信映像データのブランキング期間に重畳することによって、前記送信データを生成する映像・音声・パケット多重部とを備えたものである。
【００１９】
この態様によると、受信装置において受信音声クロック生成部は、外部から与えられた基準クロックを基にして周波数が互いに異なる複数の音声クロックを生成する。そして音声クロック情報生成部は、この複数の音声クロックの１つである第１の音声クロックの周波数の情報を含む音声クロック情報を生成し、送信装置に出力する。送信装置において音声クロック再生部は、受信装置から出力された音声クロック情報が示す周波数を有する第２の音声クロックを再生する。そして送信音声クロック生成部は、この第２の音声クロックを基にして周波数が互いに異なる複数の音声クロックを生成する。すなわち、受信装置と送信装置において、周波数が互いに異なる複数の音声クロックが予め準備される。そしてデータ伝送において、送信装置では送信音声クロック生成部が、送信音声データのサンプリング周波数情報に応じて複数の音声クロックの中から送信音声クロックを選択し、受信装置では受信音声クロック生成部が、送信データから分離した受信音声データのサンプリング周波数情報に応じて複数の音声クロックの中から受信音声クロックを選択する。
【００２０】
これにより、コンテンツの切り替え時にサンプリング周波数が切り替わった場合でも、送信装置および受信装置において、新たな送信音声クロックおよび受信音声クロックが速やかに利用可能となる。したがって、コンテンツの切り換え時に音切れが生じることがない。また、受信音声クロックは、外部から与えられた基準クロックを基にして生成されているので、精度が高く、よって再生される音声信号の音質の劣化を招くことがない。
【００２１】
また、本発明の別の態様は、映像・音声伝送用のデジタルインターフェースにおける送信装置として、受信装置から出力された、第１の音声クロックの周波数の情報を少なくとも含む音声クロック情報を受け、この音声クロック情報が示す周波数を有する第２の音声クロックを再生する音声クロック再生部と、前記第２の音声クロックを基にして、周波数が異なる複数の音声クロックを生成し、前記複数の音声クロックの中から、送信音声データのサンプリング周波数情報に応じて、１つの音声クロックを送信音声クロックとして選択して出力する送信音声クロック生成部と、前記送信音声クロックに同期した前記送信音声データと、前記サンプリング周波数情報とをパケット化し、送信映像クロックに同期した送信映像データのブランキング期間に重畳することによって、送信データを生成する映像・音声・パケット多重部とを備えたものである。
【００２２】
また、本発明の別の態様では、映像・音声伝送用のデジタルインターフェースにおける受信装置として、送信装置から出力された送信データを受信し、この送信データから、受信映像データと、受信映像クロックと、受信音声データと、前記受信音声データのサンプリング周波数情報とを分離する映像・音声・パケット分離部と、外部から与えられた基準クロックを基にして、周波数が互いに異なる複数の音声クロックを生成し、前記複数の音声クロックの中から、前記サンプリング周波数情報に応じて、１つの音声クロックを受信音声クロックとして選択して出力する受信音声クロック生成部と、前記受信音声クロック生成部が出力する受信音声クロックに同期して、前記受信音声データを出力する受信音声処理部と、前記受信音声クロック生成部において生成された複数の音声クロックの１つである第１の音声クロックから、この第１の音声クロックの周波数の情報を少なくとも含む音声クロック情報を生成し、前記送信装置に出力する音声クロック情報生成部とを備えたものである。
【発明の効果】
【００２３】
本発明によると、受信装置側で再生される音声信号の音質の劣化が抑制され、かつ、サンプリング周波数の変化時にも新たな送信音声クロックおよび受信音声クロックが速やかに利用可能となるので、高音質で、かつ、コンテンツの切り換え時に音切れが生じないような、音声データの伝送が可能になる。
【図面の簡単な説明】
【００２４】
【図１】実施形態に係る送受信システムの構成を示すブロック図である。
【図２】図１の構成を具体化した構成例を示すブロック図である。
【図３】図１の構成を具体化した他の構成例を示すブロック図である。
【図４】従来の送受信システムの構成例を示すブロック図である。
【図５】音声クロックおよびピクセルクロックと分周パラメータとの関係を示す図である。
【図６】従来の送受信システムの構成例を示すブロック図である。
【発明を実施するための形態】
【００２５】
以下、本発明の実施の形態について、図面を用いて説明する。なお、本実施形態で示す送受信システムは、送信装置と受信装置とがＨＤＭＩ規格に準拠した伝送路によって互いに接続されるものとする。ただし、本発明の適用範囲は、映像・音声伝送用のデジタルインターフェースとして、ＨＤＭＩに限られるものではなく、他のデジタルインターフェースにも適用可能である。
【００２６】
図１は実施形態に係る送受信システムの構成を示すブロック図である。図１の送信装置１０１は、分周器１０２と、カウンタ１０３と、映像・音声・パケット多重部１０４と、音声クロック再生部１０５と、送信音声クロック生成部１０６とを備えている。送信音声クロック生成部１０６は、分周・逓倍器１０７とセレクタ１０８とを有している。また受信装置１１１は、分周器１１２と、逓倍器１１３と、映像・音声・パケット分離部１１４と、音声クロック情報生成部１１５と、受信音声クロック生成部１１６と、バッファ１１９とを備えている。受信音声クロック生成部１１６は、分周・逓倍器１１７とセレクタ１１８とを有している。
【００２７】
図１の構成において、受信装置１１１には高精度な基準クロックＲＣＬＫが外部から入力されている。受信音声クロック生成部１１６は、外部から与えられた基準クロックＲＣＬＫを基にして、周波数が互いに異なる複数の音声クロックを生成する。例えば図１に示すように、サンプリング周波数ｆｓ１の１２８倍である１２８ｆｓ１を周波数とする音声クロックＲＡＣ１と、サンプリング周波数ｆｓ２の１２８倍である１２８ｆｓ２を周波数とする音声クロックＲＡＣ２との２つの音声クロックが生成される。このような音声クロックは、例えば基準クロックＲＣＬＫを分周・逓倍器１１７によって分周や逓倍することによって得られる。
【００２８】
なお、ここでの分周・逓倍器１１７は、分周および逓倍の両方の機能を有している必要は必ずしもない。基準クロックＲＣＬＫと、生成される複数の音声クロックとの周波数の関係によっては、分周・逓倍器１１７は、分周の機能のみを有していればよい場合もあるし、逓倍の機能のみを有していればよい場合もある。
【００２９】
音声クロック情報生成部１１５は、受信音声クロック生成部１１６において生成された複数の音声クロックの１つである第１の音声クロックから、この第１の音声クロックの周波数の情報を少なくとも含む音声クロック情報ＩＡＣを生成し、送信装置１０１に出力する。例えば図１の構成では、第１の音声クロックとしての音声クロックＲＡＣ１から、その周波数１２８ｆｓ１の情報を含む音声クロック情報ＩＡＣが生成される。
【００３０】
送信装置１０１において、音声クロック再生部１０５は、受信装置１１１から出力された音声クロック情報ＩＡＣを受け、この音声クロック情報ＩＡＣが示す周波数を有する第２の音声クロックを再生する。例えば図１の構成では、音声クロック再生部１０５は、音声クロック情報ＩＡＣが示す周波数１２８ｆｓ１を有する第２の音声クロックとしての音声クロックＴＡＣ１を再生する。
【００３１】
送信音声クロック生成部１０６は、音声クロック再生部１０５において再生された第２の音声クロックを基にして、この第２の音声クロックを含む、周波数が互いに異なる複数の音声クロックを生成する。例えば図１の構成では、送信音声クロック生成部１０６は、音声クロックＴＡＣ１を基にして、分周・逓倍器１０７により、音声クロックＴＡＣ１をｆｓ１分周し、ｆｓ２逓倍することによって、周波数１２８ｆｓ２の音声クロックＴＡＣ２を生成する。
【００３２】
このように、音声クロック情報ＩＡＣを受信装置１１１から送信装置１０１に送る構成を採用することによって、受信装置１１１に与えられた基準クロックＲＣＬＫに基づいた複数の音声クロックを、受信装置１１１と送信装置１０１の両方に予め準備することができる。
【００３３】
なお、図１では２つのサンプリング周波数ｆｓ１，ｆｓ２に対応する音声クロックのみを示したが、もちろん、３種類以上のサンプリング周波数に対応する音声クロックを生成することも可能である。
【００３４】
ここで、受信装置１１１の受信音声クロック生成部１１６において生成される複数の音声クロックと、送信装置１０１の送信音声クロック生成部１０６において生成される複数の音声クロックとは、周波数の内訳が共通しているのが好ましい。言いかえると、音声クロック情報ＩＡＣによって周波数の情報が伝達される第１の音声クロックＲＡＣ１と受信音声クロック生成部１１６において生成される複数の音声クロックとの周波数の関係は、音声クロック情報ＩＡＣから再生される第２の音声クロックＴＡＣ１と送信音声クロック生成部１０６において生成される複数の音声クロックとの周波数の関係と、同一であるのが好ましい。
【００３５】
図１の構成について、映像・音声データの伝送動作について説明する。
【００３６】
送信装置１０１において、送信音声クロック生成部１０６は、複数の音声クロックＴＡＣ１，ＴＡＣ２の中から、送信する音声データのサンプリング周波数情報に応じて、１つの音声クロックを送信音声クロックＴＡＣとして選択して出力する。具体的には、セレクタ１０８が、サンプリング周波数ｆｓを示す情報に応じて、音声クロックＴＡＣ１，ＴＡＣ２のうちのいずれかを送信音声クロックＴＡＣ（周波数１２８ｆｓ）として選択する。なお、ＨＤＭＩでは、音声データのデータ構造の中に、サンプリング周波数ｆｓを示す情報が格納されている。あるいは、分周パラメータＭ，Ｎからもサンプリング周波数情報を得ることができる。
【００３７】
音声データは、送信音声クロック生成部１０６から出力された送信音声クロックＴＡＣに同期して、映像・音声・パケット多重部１０４に入力される。また分周器１０２およびカウンタ１０３は、送信音声クロックＴＡＣとピクセルクロック（映像クロック）ＰＣＬＫから、分周パラメータＭ，Ｎを生成し、映像・音声・パケット多重部１０４に送る。映像・音声・パケット多重部１０４は、送信音声クロックＴＡＣに同期した送信音声データをパケット化し、これを、ピクセルクロックＰＣＬＫに同期した映像データのブランキング期間に重畳することによって、送信データを生成する。このとき、サンプリング周波数情報や分周パラメータＭ，Ｎもパケット化されて送信される。
【００３８】
受信装置１１１において、映像・音声・パケット分離部１１４は、送信装置１０１から出力された送信データを受信し、この送信データから、映像データ、ピクセルクロック、および音声データを分離する。また、サンプリング周波数情報や分周パラメータＭ，Ｎも分離される。分周器１１２および逓倍器１１３は、分離された分周パラメータＭ，Ｎから音声クロックＲＡＣ’を再生する。受信された音声データは、再生された音声クロックＲＡＣ’に同期して、受信音声処理部としてのバッファ１１９に一旦格納される。
【００３９】
一方、受信音声クロック生成部１１６は、複数の音声クロックＲＡＣ１，ＲＡＣ２の中から、受信した音声データのサンプリング周波数情報に応じて、１つの音声クロックを受信音声クロックＲＡＣとして選択して出力する。具体的には、セレクタ１１８が、サンプリング周波数ｆｓを示す情報に応じて、音声クロックＲＡＣ１，ＲＡＣ２のうちのいずれかを送信音声クロックＲＡＣ（周波数１２８ｆｓ）として選択する。この選択された受信音声クロックＲＡＣは、基準クロックＲＣＬＫに基づいた高精度なクロックであるので、これをバッファ１１９の読み出しクロックに用いることによって、高精度な受信音声クロックＲＡＣに同期した音声データが受信装置１１１から出力される。
【００４０】
このように本実施形態によると、受信装置１１１において、基準クロックＲＣＬＫに基づいた複数の音声クロックＲＡＣ１，ＲＡＣ２が予め準備されており、受信装置１１１から音声クロック情報ＩＡＣを受けた送信装置１０１においても、複数の音声クロックＴＡＣ１，ＴＡＣ２が予め準備されている。そしてデータ伝送において、送信装置１０１では送信音声クロック生成部１０６が、送信音声データのサンプリング周波数情報に応じて複数の音声クロックの中から送信音声クロックＴＡＣを選択し、受信装置１１１では受信音声クロック生成部１１６が、送信データから分離した受信音声データのサンプリング周波数情報に応じて複数の音声クロックの中から受信音声クロックＲＡＣを選択する。
【００４１】
これにより、コンテンツの切り替え時にサンプリング周波数が切り替わった場合でも、送信装置１０１および受信装置１１１において、新たな送信音声クロックＴＡＣおよび受信音声クロックＲＡＣが速やかに利用可能となる。したがって、コンテンツの切り換え時に音切れが生じることがない。また、受信音声クロックＲＡＣは、外部から与えられた基準クロックＲＣＬＫを基にして生成されているので、精度が高く、よって再生される音声信号の音質の劣化を招くことがない。
【００４２】
なお、本実施形態では、分周パラメータＭ，Ｎを送信・受信する例を示したが、分周パラメータＭ，Ｎは必ずしも送信・受信する必要がない。なぜなら、受信装置１１１が受信する音声データは、受信音声クロック生成部１１６が生成する複数の音声クロックに同期したものなので、分周パラメータＭ，Ｎから受信音声クロックを再生する必要がないからである。分周パラメータＭ，Ｎを送信・受信しない場合は、例えば、受信音声データは、ピクセルクロックＰＣＬＫに同期させてバッファ１１９に書き込めばよい。バッファ１１９からの受信音声データの読み出しには、受信音声クロック生成部１１６から出力された受信音声クロックＲＡＣを用いる。なお、分周パラメータＭ，Ｎを送信・受信しない場合は、受信装置１１１において分周器１１２および逓倍器１１３は不要である。
【００４３】
（構成例１）
図２は図１の構成をさらに具体化した構成例を示すブロック図である。図２において、図１と共通の構成要素には同一の符号を付しており、ここではその詳細な説明を省略する。図２の構成では、送信装置２０１は、音声クロック再生部１０５の一例として光ディジタル音声受信部２０２を備えており、受信装置２１１は、音声クロック情報生成部１１５の一例として光ディジタル音声送信部２１２を備えている。また、送信装置２０１の送信音声クロック生成部１０６は、分周・逓倍器１０７の一例として、入力されたクロック信号を４８０分周し４４１逓倍する分周・逓倍器２０３を備えており、受信装置２１１の受信音声クロック生成部１１６は、分周・逓倍器１１７の一例として、入力されたクロック信号を４４１分周し１２８逓倍する分周・逓倍器２１３と、入力されたクロック信号を４８０分周し１２８逓倍する分周・逓倍器２１４とを備えている。
【００４４】
図２の構成は、サンプリング周波数ｆｓ１（＝４８ｋＨｚ），ｆｓ２（＝４４．１ｋＨｚ）に対応している。外部から与えられる基準クロックＲＣＬＫの周波数は例えば、４８ｋＨｚと４４．１ｋＨｚの公倍数である２１．１６８ＭＨｚである。受信音声クロック生成部１１６は、この基準クロックＲＣＬＫを基にして、周波数１２８ｆｓ１（＝６．１４４ＭＨｚ）の音声クロックＲＡＣ１と、周波数１２８ｆｓ２（＝５．６４４８ＭＨｚ）の音声クロックＲＡＣ２とを生成する。具体的には、分周・逓倍器２１３が基準クロックＲＣＬＫを４４１分周し１２８逓倍することによって音声クロックＲＡＣ１を生成し、分周・逓倍器２１４が基準クロックＲＣＬＫを４８０分周し１２８逓倍することによって音声クロックＲＡＣ２を生成する。
【００４５】
光ディジタル音声送信部２１２と光ディジタル音声受信部２０２は、ディジタルオーディオインターフェースを構成している。ディジタルオーディオインターフェースとしては、例えば、ＩＥＣ６０９５８規格が国際標準規格として広く一般に使用されている。ＩＥＣ６０９５８規格では、音声信号をフレームと呼ばれる単位でバイフェーズ変調して送信する。各フレームの先頭には、プリアンブルと呼ばれる同期用パターンが埋め込まれている。
【００４６】
本構成例では、上のようなディジタルオーディオインターフェースを利用して、受信装置２１１から送信装置２０１に音声クロック情報ＩＡＣを送る。具体的には、光ディジタル音声送信部２１２は、受信音声クロック生成部１１６から第１の音声クロックとしての音声クロックＲＡＣ１を受ける。そして、所定の音声信号を音声クロックＲＡＣ１に同期させてバイフェーズ変調する。これにより、音声クロックＲＡＣ１と同一周期でプリアンブルが埋め込まれた音声情報が生成される。さらに光ディジタル音声送信部２１２は、生成した音声情報について光電変換を行い、光出力する。送信装置２０１の光ディジタル音声受信部２０２は、受信した光信号を電気信号に逆変換し音声情報を得る。そして、得た音声情報からプリアンブルを検出することによって、第２の音声クロックとしての周波数１２８ｆｓ１（＝６．１４４ＭＨｚ）の音声クロックＴＡＣ１を再生する。
【００４７】
そして、送信音声クロック生成部１０６は、光ディジタル音声受信部２０２によって再生された音声クロックＴＡＣ１を基にして、周波数１２８ｆｓ２（＝５．６４４８ＭＨｚ）の音声クロックＴＡＣ２を生成する。具体的には、分周・逓倍器２０３が音声クロックＴＡＣ１を４８０分周し４４１逓倍することによって音声クロックＴＡＣ２を生成する。
【００４８】
映像・音声データの伝送動作については、図１の構成と同様であるため、ここでは説明を省略する。
【００４９】
なお、本構成例では、受信装置２１１から送信装置２０１に送る音声情報は、音声クロックＲＡＣ１の周波数の情報が伝達でき、光ディジタル音声受信部２０２において音声クロックＴＡＣ１が再生できるものであればよい。よって、光ディジタル音声送信部２１２が生成する音声情報には、通常の音声信号を含める必要がない。すなわち例えば、光ディジタル音声送信部２１２は、所定の音声信号として、無音声信号（定数値）や、所定周期の音声信号（例えば正弦波）を用いて変調を行ってもよい。ただし、通常の音声信号を用いれば、その音声信号の伝送と音声クロック情報の伝送とを兼用することができる。
【００５０】
なお、本構成例では、受信装置２１１から送信装置２０１に音声情報を光伝送するものとししたが、音声情報の伝送は光伝送に限られるものではない。例えば同軸ケーブルを用いてもよい。あるいは、ＨＤＭＩケーブル内に信号線を設け、その信号線を用いて伝送してもよい。ただし、既存のオーディオインターフェースを利用した方が、コストアップを最小限に留めることができるので好ましいといえる。
【００５１】
なお、本構成例では、ディジタルオーディオインターフェースの規格の一例としてのＩＥＣ６０９５８規格に従った音声情報を伝送するものとしたが、伝送する音声情報の形式はこれに限られるものではない。すなわち、音声信号を同期用パターンが埋め込まれたフレーム単位で変調したものであり、同期用パターンの周期によって周波数の情報を伝達できる形式であれば、どのようなものであってもかまわない。
【００５２】
（構成例２）
図３は図１の構成をさらに具体化した他の構成例を示すブロック図である。図３において、図１および図２と共通の構成要素には同一の符号を付しており、ここではその詳細な説明を省略する。図３の構成では、送信装置３０１は、音声クロック再生部１０５の一例として分周パラメータ受信部３０２を備えており、受信装置３１１は、音声クロック情報生成部１１５の一例として分周パラメータ送信部３１２を備えている。
【００５３】
図３の構成において、受信音声クロック生成部１１６は図２の構成と同様に、基準クロックＲＣＬＫを基にして、周波数１２８ｆｓ１の音声クロックＲＡＣ１と、周波数１２８ｆｓ２の音声クロックＲＡＣ２とを生成する。分周パラメータ送信部３１２は、受信音声クロック生成部１１６から出力された音声クロックＲＡＣ１と、ピクセルクロックＰＣＬＫとから、音声クロック情報として分周パラメータＰ，Ｑを生成する。分周パラメータＰ，Ｑについては次のような関係が成り立ち、分周パラメータＭ，Ｎと同様の方法によって生成される。
【００５４】
ＰＣＬＫ／Ｐ  ＝  １２８ｆｓ１／Ｑ
そして分周パラメータ送信部３１２は、分周パラメータＰ，Ｑの両方または一方を送信する。例えば、Ｑに規定の固有値を用いる場合は、Ｑを送信する必要はなく、Ｐのみを送信すればよい。分周パラメータＰ，Ｑの送信には、例えばＨＤＭＩ規格のオプションであるＣＥＣを使用すればよい。
【００５５】
分周パラメータ受信部３０２は、受信装置３１１から受信した分周パラメータ（Ｐ，Ｑの両方または一方）と、ピクセルクロックＰＣＬＫとから、音声クロックＴＡＣ１を再生する。例えばＱが既定の固定値である場合は、Ｐのみを受信し、ピクセルクロックＰＣＬＫとＰと既定の固定値Ｑから、周波数１２８ｆｓ１の音声クロックＴＡＣ１を再生する。ここでの音声クロックの再生方法は、分周パラメータＭ，Ｎから音声クロックを再生する方法と同様である。そして、送信音声クロック生成部１０６は、分周パラメータ受信部３０２によって再生された音声クロックＴＡＣ１を基にして、周波数１２８ｆｓ２の音声クロックＴＡＣ２を生成する。
【００５６】
映像・音声データの伝送動作については、図１の構成と同様であるため、ここでは説明を省略する。
【００５７】
なお、本構成例では、分周パラメータＰ，Ｑの伝送にＣＥＣを利用するものとして説明したが、これに限られるものではない。分周パラメータＰ，Ｑの伝送には例えば、イーサネットを用いてもよいし、ワイヤレスＬＡＮを用いてもよい。
【００５８】
なお、分周パラメータＰ，Ｑを送信するタイミングは、１２８ｆｓ１／Ｑで定まる周期に一致させることが望ましい。送信装置３０１において分周パラメータ受信部３０２が出力する音声クロックＴＡＣ１と、受信装置３１１において受信音声クロック生成部１１６が出力する音声クロックＲＡＣ１との周波数のずれは、分周パラメータＰ，Ｑを送信する頻度が下がる程、大きくなってしまう。この周波数のずれによって、バッファ１１９において書き込み位置と読み出し位置のいわゆる追い越し・追い越されが生じる可能性がある。ただしこの問題は、バッファ１１９の容量を大きくすることによって対処すればよい。バッファ１１９に必要な容量は、分周パラメータＰ，Ｑを送信する時間間隔中に受信される音声データ量に相当する程度である。
【００５９】
なお、本構成例では、一組の分周パラメータＰ，Ｑを送信する場合について説明したが、例えば、サンプリング周波数毎に複数組の分周パラメータＰ，Ｑを送信するようにしてもよい。この場合は、分周パラメータ受信部３０２が、各組の分周パラメータＰ，Ｑから、サンプリング周波数に対応した複数の音声クロックを再生すればよい。
【００６０】
なお、上述の構成例１，２では、ｆｓ１＝４８ｋＨｚ、ｆｓ２＝４４．１ｋＨｚとしたが、サンプリング周波数はこれに限られるものではない。例えば、ｆｓ１＝１９２ｋＨｚ、ｆｓ２＝１７６．４ｋＨｚとし、その他のサンプリング周波数をｆｓ１，ｆｓ２の分周で求めるような構成とすれば、４８ｋＨｚから１９２ｋＨｚを求めるための逓倍器が不要となり、回路が簡素化される。
【産業上の利用可能性】
【００６１】
以上のように本発明では、ＨＤＭＩなどのデジタルインターフェースにおいて、高音質で、かつ、コンテンツの切り換え時に音切れが生じない音声データの伝送が可能になるので、例えば、デジタル家電のネットワーク化において、音声データの品質向上等に有効である。
【符号の説明】
【００６２】
１０１，２０１，３０１  送信装置
１０４  映像・音声・パケット多重部
１０５  音声クロック再生部
１０６  送信音声クロック生成部
１１１，２１１，３１１  受信装置
１１４  映像・音声・パケット分離部
１１５  音声クロック情報生成部
１１６  受信音声クロック生成部
１１９  バッファ（受信音声処理部）
２０２  光ディジタル音声受信部（音声クロック再生部）
２１２  光ディジタル音声送信部（音声クロック情報生成部）
３０２  分周パラメータ受信部（音声クロック再生部）
３１２  分周パラメータ送信部（音声クロック情報生成部）
ＩＡＣ  音声クロック情報
ＰＣＬＫ  ピクセルクロック（映像クロック）
ＲＣＬＫ  基準クロック
ＲＡＣ  受信音声クロック
ＲＡＣ１  第１の音声クロック
ＴＡＣ  送信音声クロック
ＴＡＣ１  第２の音声クロック
【図１】
2012039260.tif 000003
【図２】
2012039260.tif 000004
【図３】
2012039260.tif 000005
【図４】
2012039260.tif 000006
【図５】
2012039260.tif 000007
【図６】
2012039260.tif 000008